(57)【要約】  本発明は、特定のアダプタを有するシリンジ取付デバイスを備える噴霧堆積システムを提供する。アダプタは、互いに流体接続する少なくとも３つの開口を有し、アダプタの少なくとも１つの第１開口はニードルに液密に接続可能であり、アダプタの少なくとも１つの第２開口は周囲の空気と流体接続し、アダプタの少なくとも１つの第３開口は空気流を送達するように構成されたチューブに可逆的かつ気密に接続される。これにより、従来技術の解決策のようにシステムのチューブを穿孔する必要なく、可逆的かつ液密にニードルへの接続が可能である。これにより、チューブ材料がニードルを詰まらせないであろうし、空気がチューブから漏れないであろう。さらに、噴霧堆積システムへのニードルの取付けは、より速く、より安全に行われ、ニードルの整列は容易になる。最後に、ニードルからの液体のより均一な堆積を確実にする非鋭利なニードルが用いられてもよい。【選択図】図１１【特許請求の範囲】
【請求項１】
噴霧堆積システムであって、
前記噴霧堆積システムは、
ａ）連結部および頂部があるベースを有するシリンジ取付デバイスを備え、
前記シリンジ取付デバイスは、
（１）シリンジの少なくとも部分を受けるように構成されたシリンジチャネルと、
（２）空気流を送達するように構成されたチューブと、を備え、
前記噴霧堆積システムは、さらに、
ｂ）上面を有し、当該上面に設けられた可動スライドを含むハンドヘルドデバイスを備え、
前記ハンドヘルドデバイスは、前記噴霧堆積システムの組み立てられた配置において、前記シリンジ取付デバイスの前記連結部に連結されるように構成され、
前記ハンドヘルドデバイスは、前記シリンジからの治療溶液の送達を制御するように構成され、
前記シリンジ取付デバイスは、互いに流体接続する少なくとも３つの開口を有するアダプタを備え、前記アダプタの少なくとも１つの第１開口はニードルに液密に接続可能であり、前記アダプタの少なくとも１つの第２開口は周囲の空気と流体接続し、前記アダプタの少なくとも１つの第３開口は可逆的かつ気密に前記チューブに接続される、ことを特徴とする、
噴霧堆積システム。
【請求項２】
前記アダプタの前記少なくとも１つの第１開口および前記少なくとも１つも第２開口は、第１流体チャネルによって流体的に接続され、
前記第１流体チャネルは、好ましくは、
１）本質的に真っ直ぐな形状を有し；及び／又は、
２）ニードルを、好ましくは当該ニードルの先端が前記少なくとも１つの第３開口と本質的に同じ勾配で位置するように、収容するのに十分に大きな長さを有し；及び／又は、
３）２０〜４０ｍｍ、好ましくは２２〜３６ｍｍ、より好ましくは２４〜３２ｍｍ、最も好ましくは２５〜２９ｍｍ、特に２６〜２８ｍｍの長さを有し；及び／又は、
４）ニードルをシリンジに接続するのに適したニードルアダプタを液密に、任意選択で可逆的にも、接続するための第１セクションを有し、前記第１セクションは、前記アダプタの前記少なくとも１つの第１開口から前記アダプタの前記少なくとも１つの第２開口に向かって延在し、前記第１セクションは、任意選択で、０．５〜８ｍｍ、好ましくは１〜７ｍｍ、より好ましくは２〜６ｍｍ、最も好ましくは２．５〜５．５ｍｍの直径、及び／又は、１０〜２０ｍｍ、好ましくは１２〜１８ｍｍ、より好ましくは１４〜１６ｍｍの長さを有し；及び／又は、
５）ニードルを収容するための第２セクションを有し、前記第２セクションは、前記アダプタの前記少なくとも１つの第１開口から離れて位置し、前記第２セクションは、任意選択で、０．２〜３ｍｍ、好ましくは０．５〜２．５ｍｍ、より好ましくは１．０〜２．０ｍｍ、最も好ましくは１．４〜１．６ｍｍの直径、及び／又は、５〜１５ｍｍ、好ましくは６〜１４、より好ましくは８〜１２、最も好ましくは９〜１１ｍｍの長さを有し；及び／又は、
６）シリンジの内容物の噴霧堆積のための第３セクションを有し、前記第３セクションは、前記少なくとも１つの第２開口に位置し、前記第３セクションは、好ましくは円錐形状を有し、当該円錐形状は、任意選択で、少なくとも２ｍｍ、好ましくは少なくとも３ｍｍ、より好ましくは少なくとも４ｍｍ、最も好ましくは少なくとも５ｍｍの最大直径、及び／又は、０．５〜４ｍｍ、好ましくは１〜２ｍｍ、より好ましくは１．５〜２．５ｍｍの長さを有し；及び／又は、
７）当該第１流体チャネル内に位置するニードル、好ましくは非鋭利な先端を有するニードルを有する、
ことを特徴とする請求項１に記載の噴霧堆積システム。
【請求項３】
前記少なくとも１つの第３開口は、第２流体チャネルによって前記少なくとも１つの第１開口および前記少なくとも１つの第２開口に流体的に接続され、
前記第２流体チャネルは、好ましくは、
１）本質的に真っ直ぐな形状を有し；及び／又は、
２）４〜４０ｍｍ、好ましくは６〜２８ｍｍ、より好ましくは８〜１６ｍｍ、最も好ましくは１０〜１４ｍｍ、特に１１〜１３ｍｍの長さを有し；及び／又は、
３）空気流を送達するように構成された前記チューブを収容するためのセクションを有し、当該セクションは、前記少なくとも１つの第３開口に位置し、好ましくは、当該セクションは、１〜５ｍｍ、好ましくは１．５〜４．５ｍｍ、より好ましくは２〜４ｍｍ、最も好ましくは２．５〜３．５ｍｍの直径、及び／又は、前記第２流体チャネルより短い長さ、任意選択で、１〜３０ｍｍ、好ましくは２〜２５ｍｍ、より好ましくは４〜２０ｍｍ、最も好ましくは６〜１５ｍｍ、特に８〜１０ｍｍの長さを有する、
ことを特徴とする請求項１または請求項２に記載の噴霧堆積システム。
【請求項４】
前記アダプタの前記少なくとも１つの第１開口および前記少なくとも１つの第２開口は、第１流体チャネルによって流体的に接続され、前記アダプタの前記少なくとも１つの第３開口は、第２流体チャネルによって前記少なくとも１つの第１開口および前記少なくとも１つの第２開口に流体的に接続され、
１）前記第２流体チャネルは、前記第１流体チャネルに本質的に垂直に流体的に接続し、接続点が、好ましくはＴ形状を有し；及び／又は、
２）前記第２流体チャネルは、ニードルの先端よりも当該ニードルのアダプタに近い当該ニードルの部分が位置することとなる前記第１流体チャネルのセクションにて、前記第１流体チャネルに流体的に接続している、
ことを特徴とする請求項１から請求項３のいずれか１項に記載の噴霧堆積システム。
【請求項５】
前記アダプタの前記第１開口は、ルアーロックコネクタに可逆的かつ液密に接続するのに適しており、または、ルアーロックコネクタに接続されており、当該ルアーロックコネクタは、好ましくはニードルのルアーロックコネクタ、より好ましくはBecton & Dickinson製のPrecisionGlide Needle 30G1/2のルアーロックコネクタである、
ことを特徴とする請求項１から請求項４のいずれか１項に記載の噴霧堆積システム。
【請求項６】
前記アダプタの前記少なくとも１つの第１開口は、ニードルに接続されている、
ことを特徴とする請求項１から請求項５のいずれか１項に記載の噴霧堆積システム。
【請求項７】
前記アダプタは、
１）無菌であり；
２）プラスチック材料、好ましくはポリウレタン、ポリカーボネート、ポリ塩化ビニル、アクリロニトリル‐ブタジエン‐スチレン、より好ましくはポリウレタンＳＧ９５からなる群から選択されるプラスチック材料、を備える、または、のみからなり、当該プラスチック材料は、任意選択でシクロヘキサノン及び／又はロックタイト４３０５と化学的に結合されている、
ことを特徴とする請求項１から請求項６のいずれか１項に記載の噴霧堆積システム。
【請求項８】
前記シリンジ取付デバイスは、
１）前記組み立てられた配置において、前記ハンドヘルドデバイスの頂部と連結するように構成された底面を含む連結部；及び／又は、
２）前記ハンドヘルドデバイスの上面にある対応する対応特徴部と係合するための、前記連結部にある少なくとも１つの特徴部；及び／又は、
３）前記チューブに連結されたエアフィルタ；及び／又は、
４）前記チューブに連結された空気流インジケータ；及び／又は、
５）テーパー状の装着部を有するニードル、を備える、
ことを特徴とする請求項１から請求項７のいずれか１項に記載の噴霧堆積システム。
【請求項９】
前記ハンドヘルドデバイスは、
１）前記シリンジチャネル内に設けられたシリンジのプランジャと係合するように構成されたプランジャドライバを含む可動スライドを備え、前記プランジャは、好ましくは、前記噴霧堆積システムのユーザによって手動で位置決め可能である、または電子的に位置決め可能であるように構成され；及び／又は、
２）ねじ切りシャフトによって制御される可動スライドを備え、連結体が、好ましくは前記可動スライドと前記ねじ切りシャフトとの間に位置決めされ、前記可動スライドおよび前記ねじ切りシャフトと係合するように構成され、前記ねじ切りシャフト上の前記連結体の動きは、好ましくは前記ハンドヘルドデバイス上の前記可動スライドの動きに対応し；及び／又は、
３）可動スライドを電子的に制御するように構成されたスイッチを備え；及び／又は、
４）バッテリコンパートメントを備え、前記バッテリコンパートメントの電気接点は、好ましくは電子的に移動可能な前記可動スライドに電気的に連結され；及び／又は、
５）噴霧体積表示を備え；及び／又は、
６）第１マークを備え、無菌カバーは第２マークを含み、前記第１マークおよび前記第２マークは、前記組み立てられた配置における、前記ハンドヘルドデバイスの少なくとも一部分の周りへの前記無菌カバーの配置を決定する配列用に構成されている、
ことを特徴とする請求項１から請求項８のいずれか１項に記載の噴霧堆積システム。
【請求項１０】
前記ハンドヘルドデバイスは、
１）無菌カバーに挿入され、前記無菌カバーは、前記組み立てられた配置において前記ハンドヘルドデバイスを囲み；及び／又は、
２）再使用可能であり、前記シリンジ取付デバイスは、使用後に使い捨て可能でよい、
ことを特徴とする請求項１から請求項９のいずれか１項に記載の噴霧堆積システム。
【請求項１１】
前記噴霧堆積システムは、無菌カバーをさらに備え、
前記無菌カバーは、好ましくは、
１）前記シリンジ取付デバイスに、任意選択で前記シリンジ取付デバイスのトッププレートとボトムプレートとの間で、連結され；及び／又は、
２）前記シリンジ取付デバイスに連結され、前記シリンジ取付デバイスの頂部は露出され、前記無菌カバーは前記シリンジ取付デバイスの前記連結部を囲み；及び／又は、
３）前記シリンジ取付デバイスの前記ベースの外周に溶接され；及び／又は、
４）前記シリンジ取付デバイスの前記ベースの外周に接着剤で結合される、
ことを特徴とする請求項１から請求項１０のいずれか１項に記載の噴霧堆積システム。
【請求項１２】
前記噴霧堆積システムは、無菌カバーをさらに備え、
前記無菌カバーは、
１）前記ハンドヘルドデバイスが前記組み立てられた配置において少なくとも部分的に位置するキャビティを有し；及び／又は、
２）前記組み立てられた配置において前記ハンドヘルドデバイスを囲み；及び／又は、
３）閉鎖された第１端と開放した第２端とを備え、前記第２端は、好ましくは前記ハンドヘルドデバイスが無菌カバーに挿入された後にシール可能であり；及び／又は、
４）全側で開放したシートであり、前記ハンドヘルドデバイスは、前記組み立てられた配置において前記シートによって覆われ、前記シートは、シールが前記ハンドヘルドデバイスを収容する前記無菌カバーの内部と前記無菌カバーの外部との間に形成されるように閉じることができる、
ことを特徴とする請求項１から請求項１１のいずれか１項に記載の噴霧堆積システム。
【請求項１３】
前記シリンジ取付デバイスの前記連結部は可逆的または不可逆的に前記ハンドヘルドデバイスに連結され、好ましくは前記シリンジ取付デバイスの前記連結部は前記ハンドヘルドデバイスに対してモノリシックである、
ことを特徴とする請求項１から請求項１２のいずれか１項に記載の噴霧堆積システム。
【請求項１４】
前記噴霧堆積システムの部分は、好ましくは前記シリンジ取付デバイス及び／又は前記ハンドヘルドデバイスは、滅菌可能であり、または、前記噴霧堆積システム全体が滅菌可能であり、当該滅菌可能であるとは、好ましくはエチレンオキシドガスに対する耐性で前記噴霧堆積システムまたはその部分への機能的損傷がないことと理解される、
請求項１から請求項１３のいずれか１項に記載の噴霧堆積システム。
【請求項１５】
生物を治療する用途の請求項１から請求項１４のいずれか１項に記載の噴霧堆積システムであって、
前記シリンジチャネルは、生物を治療するのに適した、好ましくは生物の皮膚の創傷領域を治療するのに適した活性物質を備える溶液を内包するシリンジを含み、前記活性物質は、好ましくは、生物細胞、を備える、または、のみからなる、
ことを特徴とする噴霧堆積システム。
【発明の詳細な説明】
【技術分野】
【０００１】
本発明は、特定のアダプタを有するシリンジ取付デバイスを備える噴霧堆積（spray deposition）システムを提供する。アダプタは、互いに流体接続する少なくとも３つの開口を有し、アダプタの少なくとも１つの第１開口はニードルに液密に接続可能であり、アダプタの少なくとも１つの第２開口は周囲の空気と流体接続し、アダプタの少なくとも１つの第３開口は空気流を送達するように構成されたチューブに可逆的かつ気密に接続される。これにより、従来技術の解決策のようにシステムのチューブを穿孔する必要なく、可逆的かつ液密にニードルへの接続が可能である。これにより、チューブ材料がニードルを詰まらせないであろうし、空気がチューブから漏れないであろう。さらに、噴霧堆積システムへのニードルの取付けは、より速く、より安全に行われ、ニードルの整列（アライメント）は容易になる。最後に、ニードルからの液体のより均一な堆積を確実にする非鋭利なニードルが用いられてもよい。
【背景技術】
【０００２】
細胞の噴霧は、例えば組織創傷などの特定の表面上に細胞懸濁液を分布させるために、関心がよせられている。細胞の噴霧は、例えば、外傷を受けた組織を再生するために手術にて使用される。多くのシナリオにおいて、細胞用の堆積システムは、無菌である（滅菌されている）ことが有益または重要である。細胞の堆積または噴霧は、手動で行うことができるが、電気的に操作され、電子的に制御されるデバイスは、表面上の細胞の制御されたアプリケーションを可能にする。このようなデバイスは、モータドライブ、バッテリおよび他の構成要素を備え得る。これらのデバイスの各部を滅菌することは、滅菌プロセスがこれらの構成要素を潜在的に傷つける、または破壊する可能性があるので、困難であり得る。
【０００３】
さらに、噴霧堆積システムの従来技術の解決策は、空気流を送達するように構成されたシステムのチューブへのニードルの接続がニードルで前記チューブを穿刺することを必要とするという欠点を被る。これは、チューブ材料がニードルの内部に入って、ニードルの詰まりを生じさせ得ることをもたらす。さらに、チューブを通過する空気が、穿刺箇所でチューブから漏れるかもしれず、結果として非効率的及び／又は制御不能な空気の流れになるリスクがある。さらに、従来技術の解決策では、噴霧堆積システムへのニードルの取付けは、ニードルがチューブに穿刺貫通されるまである程度の時間を消費するかもしれず、また、穿刺動作が損傷のリスクにつながる。加えて、ニードルを噴霧堆積システムに適切に整列させるのには、時間がかかり、面倒であろう。さらに、チューブへのニードルの穿刺貫通は、先端において特定の鋭利さおよび固有の非対称性を有するニードルを用いてのみ実施され得る。これらのニードルは、非鋭利な先端を有するニードルよりも、ニードルからの液体のより不均一な堆積を提供することが知られている。
【発明の開示】
【０００４】
ここから始まり、本願の目的は、上記の欠点を有さない噴霧堆積システムを提供することである。
【０００５】
この目的は、請求項１に記載の噴霧堆積システムと、請求項１５に記載の用途の噴霧堆積システムとによって解決される。従属請求項は、有利な実施形態を例示する。
【０００６】
本発明によれば、噴霧堆積システムが提供され、
当該噴霧堆積システムは、
ａ）連結部および頂部があるベースを有するシリンジ取付デバイスを備え、
当該シリンジ取付デバイスは、
（１）シリンジの少なくとも部分を受けるように構成されたシリンジチャネルと、
（２）空気流を送達するように構成されたチューブと、を備え、
当該噴霧堆積システムは、さらに、
ｂ）上面を有し、当該上面に設けられた可動スライドを含むハンドヘルドデバイスを備え、
ハンドヘルドデバイスは、当該噴霧堆積システムの組み立てられた配置において、シリンジ取付デバイスの連結部に連結されるように構成され、
ハンドヘルドデバイスは、シリンジからの治療溶液の送達を制御するように構成され、
シリンジ取付デバイスは、互いに流体接続する少なくとも３つの開口を有するアダプタを備え、アダプタの少なくとも１つの第１開口はニードルに液密に接続可能であり、アダプタの少なくとも１つの第２開口は周囲の空気と流体接続し、アダプタの少なくとも１つの第３開口は可逆的かつ気密にチューブに（流体的に）接続される、ことを特徴とする。
【０００７】
本発明による用語「流体接続（fluid connection）」は、流体（例えば、液体及び／又は気体）がその接続を通じて流れることができることを意味する。例えば、アダプタの少なくとも３つの開口が互いに流体接続することの意味は、流体（例えば、液体及び／又は気体）がアダプタの当該少なくとも３つの開口の各々から当該少なくとも３つの開口の他のいずれかへ、および、その逆に流れることができることである。同様に、アダプタの少なくとも１つの第２開口が周囲の空気と流体接続することの意味は、流体（例えば、液体及び／又は気体）がアダプタの前記第２開口から周囲の空気へ、およびその逆に流れることができることである。
【０００８】
本発明の噴霧堆積デバイスの利点は、アダプタが、従来技術の解決策のようにシステムのチューブを穿刺する必要なしに、ニードルへの接続が液密に可能なことを達成することにある。これにより、チューブ材料がニードルを詰まらせ得ず、空気がチューブから漏れ得ない。さらに、噴霧堆積システムへのニードルの取付けは、損傷のリスクなしに、より速く実行され得る。さらに、アダプタの形状がニードルの案内経路を提供し、チューブ全体への突刺貫通（すなわち、チューブの内外への穿刺）による漏れの発生が有り得ないので、ニードルの整列が容易になる。最後に、チューブ壁を突刺貫通する必要がないので、ニードルからの液体のより均一な堆積、したがって噴霧堆積システムによるより均一な噴霧堆積を提供する非鋭利なニードルを使用することができる。
【０００９】
好ましい一実施形態では、アダプタの少なくとも１つの第１開口は、ニードルに液密にかつ可逆的に接続可能である。
【００１０】
噴霧堆積システムは、アダプタの少なくとも１つの第１開口および少なくとも１つの第２開口が第１流体チャネルによって流体的に接続されることを特徴としてもよい。
【００１１】
本発明による用語「流体的に接続される（fluidly connected）」は、流体（例えば、液体及び／又は気体）がその接続を通じて流れることができることを意味する。例えば、アダプタの少なくとも１つの第１開口および少なくとも１つの第２開口が第１流体チャネルによって流体的に接続されることの意味は、流体（例えば、液体及び／又は気体）が、第１流体チャネルを介してアダプタの少なくとも１つの第１開口から少なくとも１つの第２開口へ、およびその逆に流れることができることである。
【００１２】
第１流体チャネルは、好ましくは本質的に真っ直ぐな形状を有する。本質的に真っ直ぐな形状は、前記第１チャネル内へのニードルの挿入および整列が流体チャネルの他の幾何学的形状と比較してより容易であることをもたらす。
【００１３】
第１流体チャネルは、ニードルを、好ましくはニードルの先端が少なくとも１つの第３開口と本質的に同じ勾配（ピッチ）で位置するように、収容するのに十分に大きな長さを有してよい。これは、ニードルの先端がアダプタから突出せず、ニードルの先端による損傷のリスクが最小限に抑えられるという利点につながる。
【００１４】
第１流体チャネルの長さは、２０〜４０ｍｍ、好ましくは２２〜３６ｍｍ、より好ましくは２４〜３２ｍｍ、最も好ましくは２５〜２９ｍｍ、特に２６〜２８ｍｍでよい。これらの長さは、第１流体チャネルがニードルを収容するのに十分に長く、低重量かつ低製造コストのために十分にコンパクトであるため、有利である。
【００１５】
第１流体チャネルは、ニードルをシリンジに接続するのに適したニードルアダプタを液密に、任意選択で可逆的にも、接続するための第１セクションを有してよく、当該第１セクションは、アダプタの少なくとも１つの第１開口からアダプタの少なくとも１つの第２開口に向かって延在し、当該第１セクションは、任意選択で、０．５〜８ｍｍ、好ましくは１〜７ｍｍ、より好ましくは２〜６ｍｍ、最も好ましくは２．５〜５．５ｍｍの直径、及び／又は、１０〜２０ｍｍ、好ましくは１２〜１８ｍｍ、より好ましくは１４〜１６ｍｍの長さを有する。
【００１６】
第１流体チャネルは、ニードルを収容するための第２セクションを有してよく、当該第２セクションは、アダプタの少なくとも１つの第１開口から離れて位置し、当該第２セクションは、任意選択で、０．２〜３ｍｍ、好ましくは０．５〜２．５ｍｍ、より好ましくは１．０〜２．０ｍｍ、最も好ましくは１．４〜１．６ｍｍの直径、及び／又は、５〜１５ｍｍ、好ましくは６〜１４、より好ましくは８〜１２、最も好ましくは９〜１１ｍｍの長さを有する。好ましい実施形態では、第１流体チャネルの第２セクションの直径は、ニードルアダプタが接続される第１流体チャネルの第１セクションの直径よりも小さい。これにより、ニードルアダプタが第１流体チャネルの第２セクションに押し込まれ得ず、したがって、ニードルが第１流体チャネルを通じて偶発的に押し込まれ得ない。したがって、損傷のリスクが最小限に抑えられる。
【００１７】
第１流体チャネルは、シリンジの内容物の噴霧堆積のための第３セクションを有してよく、当該第３セクションは、少なくとも１つの第２開口に位置し、第３セクションは、好ましくは円錐形状（円錐は好ましくは周囲の空気に向かって拡開する）を有し、任意選択で、少なくとも２ｍｍ、好ましくは少なくとも３ｍｍ、より好ましくは少なくとも４ｍｍ、最も好ましくは少なくとも５ｍｍの最大直径、及び／又は、０．５〜４ｍｍ、好ましくは１〜２ｍｍ、より好ましくは１．５〜２．５ｍｍの長さを有する。第３セクションの円錐形状は、噴霧された物質のより明確な堆積を可能にする明確な噴霧円錐が形成され得る利点を有する。さらに、円錐開口直径、及び／又は、第１流体チャネルに沿った（特に第１流体チャネルの第３セクションに沿った）ニードルの位置の調整は、噴霧円錐の調整を可能にする。これは、例えば、噴霧距離を一定に保たなければならず、しかも別の横方向延長部の皮膚創傷を治療しなければならない場合に有益である。
【００１８】
第１流体チャネルは、その中に位置するニードルを、好ましくは非鋭利な先端を有するニードルを有してよい。先端が非鋭利なニードルは、ニードル先端からの噴霧用の物質の噴出がより規則的でかつ一貫するという利点を有する。これは、ターゲット上に噴霧された物質のより均一な分布をもたらす。ニードルの非鋭利な先端は、トランペット形状を有してよい。トランペット形状は、流体チャネルの第３セクションの円錐形状のように、特定のニーズに対して、噴霧円錐を調整し、微調整することができるという利点につながる。
【００１９】
噴霧堆積システムは、少なくとも１つの第３開口が第２流体チャネルによってアダプタの少なくとも１つの第１開口および少なくとも１つの第２開口に流体的に接続されていることを特徴としてもよい。
【００２０】
第２流体チャネルは、好ましくは本質的に真っ直ぐな形状を有する。本質的に真っ直ぐな形状を有することの利点は、気体が可能な最短距離で、かつ乱流を最小限に抑えて、第２流体チャネルを通って移動し得ることにある。
【００２１】
第２流体チャネルの長さは、４〜４０ｍｍ、好ましくは６〜２８ｍｍ、より好ましくは８〜１６ｍｍ、最も好ましくは１０〜１４ｍｍ、特に１１〜１３ｍｍでよい。
【００２２】
第２流体チャネルは、空気流を送達するように構成されたチューブを収容するためのセクションを有してよく、当該セクションは、少なくとも１つの第３開口に位置し、好ましくは、当該セクションは、１〜５ｍｍ、好ましくは１．５〜４．５ｍｍ、より好ましくは２〜４ｍｍ、最も好ましくは２．５〜３．５ｍｍの直径、及び／又は、第２流体チャネルより短い長さ、任意選択で１〜３０ｍｍ、好ましくは２〜２５ｍｍ、より好ましくは４〜２０ｍｍ、最も好ましくは６〜１５ｍｍ、特に８〜１０ｍｍの長さを有する。
【００２３】
好ましい実施形態では、第２流体チャネルは、１０°〜９０°、好ましくは２０°〜９０°、より好ましくは３０°〜９０°、さらにより好ましくは４０°〜９０°、特に好ましくは５０°〜９０°、とりわけ６０°〜９０°の角度で第１流体チャネルを流体的に接続する。さらに、第２流体チャネルが第１流体チャネルに対して本質的に垂直に流体的に接続していれば好ましく、その接続点は本質的にＴ形状を有することが好ましい。この文脈において、用語「本質的に」は、接続が９０°の角度で正確に確立される必要はなく、７０°〜９０°の角度で、好ましくは８０°〜９０°の角度で、より好ましくは８５°〜９０°の角度で確立されてもよいことを意味する。特に好ましい実施形態では、第２流体チャネルは、ニードルの先端よりもニードルのアダプタに近いニードルの一部が位置することとなる第１流体チャネルのセクションにて、第１流体チャネルに流体的に接続している。例えば、これは、第１流体チャネルの第２セクション、好ましくは第１流体チャネルの第３セクションよりも第１流体チャネルの第１セクションに近い第１流体チャネルの第２セクションの一部でよい。この実施形態の利点は、第２流体チャネルを通って流れる空気がニードル先端ではなくニードル基部（すなわち、ニードルアダプタに近いニードルの部分）が位置する箇所で第１流体チャネルに入ることである。これにより、ニードル先端から出る液体が、第２流体チャネルと空気流を送達するように構成されたチューブとを通過することが防止される。したがって、シリンジの内容物による前記チャネルおよび前記チューブの汚染が回避される。
【００２４】
アダプタの第１開口は、ルアーロックコネクタに可逆的かつ液密に接続するのに適し、または、これに接続されていてもよく、当該ルアーロックコネクタは、好ましくはニードルのルアーロックコネクタ、より好ましくはBecton & Dickinson製のPrecisionGlide Needle 30G1/2のルアーロックコネクタである。これは、可逆的で液密な接続が容易に確立され得るという利点を有する。
【００２５】
好ましい実施形態では、アダプタの少なくとも１つの第１開口は、ニードルに接続されている。この実施形態は、噴霧堆積システムがすでにニードルを備えているため、ニードルを噴霧堆積システムに組み付ける必要がないという利点を有する。すなわち、噴霧堆積システムでシリンジの内容物を噴霧する場合、シリンジを当該システムに接続しさえすればよい。したがって、この実施形態は、より容易で、より迅速で、より便利な取扱いを特徴とする。
【００２６】
噴霧堆積システムのアダプタは、噴霧堆積デバイスのシリンジ取付デバイスに可逆的に接続されてよい。その利点は、アダプタを容易に交換し、容易に滅菌することができることである。
【００２７】
噴霧堆積システムのアダプタは、無菌である（滅菌されている）とよい。
【００２８】
噴霧堆積システムのアダプタは、プラスチック材料、好ましくはポリウレタン、ポリカーボネート、ポリ塩化ビニル、アクリロニトリル‐ブタジエン‐スチレン、より好ましくはポリウレタンＳＧ９５からなる群から選択されるプラスチック材料、を備える、または、のみからなってよく、当該プラスチック材料は、任意選択でシクロヘキサノン及び／又はロックタイト４３０５と化学的に結合されている。前記材料の利点は、それらが高価でなく、頑丈であり、かつ、滅菌処理耐性があることにある。
【００２９】
噴霧堆積システムのシリンジ取付デバイスのシリンジチャネル、及び／又は、噴霧堆積システムのシリンジ取付デバイスのチューブは（も）、プラスチック材料、好ましくはポリウレタン、ポリカーボネート、ポリ塩化ビニル、アクリロニトリル‐ブタジエン‐スチレン、より好ましくはポリウレタンＳＧ９５からなる群から選択されるプラスチック材料を、備える、または、のみからなってよく、当該プラスチック材料は、任意選択でシクロヘキサノン及び／又はロックタイト４３０５と化学的に結合されている。
【００３０】
さらに、噴霧堆積システムのハンドヘルドデバイスは、プラスチック材料、好ましくはポリウレタン、ポリカーボネート、ポリ塩化ビニル、アクリロニトリル‐ブタジエン‐スチレン、より好ましくはポリウレタンＳＧ９５からなる群から選択されるプラスチック材料、を備える、または、のみからなってよく、当該プラスチック材料は、任意選択でシクロヘキサノン及び／又はロックタイト４３０５と化学的に結合されている。
【００３１】
噴霧堆積システムのシリンジ取付デバイスは、組み立てられた配置において、ハンドヘルドデバイスの頂部と連結するように構成された底面を含む連結部を備えてよい。
【００３２】
シリンジ取付デバイスは、ハンドヘルドデバイスの上面にある対応する対応特徴部と係合するための少なくとも１つの特徴部を連結部に備えてよい。
【００３３】
好ましくは、シリンジ取付デバイスは、チューブに連結されたエアフィルタを備える。エアフィルタは、チューブを通過する空気を滅菌してよい。
【００３４】
任意選択で、シリンジ取付デバイスは、チューブに連結された空気流インジケータを備える。
【００３５】
シリンジ取付デバイスは、テーパー状の装着部を有するニードルを備えてよい。
【００３６】
噴霧堆積システムのハンドヘルドデバイスは、シリンジチャネル内に設けられたシリンジのプランジャと係合するように構成されたプランジャドライバを含む可動スライドを備えてよく、プランジャは、好ましくは噴霧堆積システムのユーザによって手動で位置決め可能である、または、電子的に位置決め可能であるように構成されている。
【００３７】
噴霧堆積システムのハンドヘルドデバイスは、ねじ切りシャフトによって制御される可動スライドを備えてよく、連結体が、好ましくは可動スライドとねじ切りシャフトとの間で位置決めされ、可動スライドおよびねじ切りシャフトと係合するように構成され、ねじ切りシャフト上の連結体の動きは、好ましくはハンドヘルドデバイス上のスライドの動きに対応する。
【００３８】
任意選択で、噴霧堆積システムのハンドヘルドデバイスは、可動スライドを電子的に制御するように構成されたスイッチを備えてよい。
【００３９】
噴霧堆積システムのハンドヘルドデバイスは、バッテリコンパートメントを備えてよく、バッテリコンパートメントの電気接点は、好ましくは電子的に移動可能な可動スライドに電気的に連結されている。
【００４０】
任意選択で、噴霧堆積システムのハンドヘルドデバイスは、噴霧体積表示を含んでよい。
【００４１】
噴霧堆積システムのハンドヘルドデバイスは第１マークを備え、無菌（滅菌）カバーは第２マークを含み、第１および第２マークは、組み立てられた配置における、ハンドヘルドデバイスの少なくとも一部分の周りへの無菌カバーの配置を決定する配列用に構成されている。
【００４２】
ハンドヘルドデバイスは、無菌カバーに挿入されてよく、無菌カバーは、組み立てられた配置においてハンドヘルドデバイスを囲む。
【００４３】
任意選択で、噴霧堆積システムのハンドヘルドデバイスは再使用可能でよく、及び／又は、シリンジ取付デバイスは使用後に使い捨て可能でよい。
【００４４】
噴霧堆積システムは、無菌カバーをさらに含んでよい。
【００４５】
無菌カバーは、好ましくは、シリンジ取付デバイスに、任意選択でシリンジ取付デバイスのトッププレートとボトムプレートとの間で、連結されてよい。
【００４６】
無菌カバーはシリンジ取付デバイスに連結されてよく、シリンジ取付デバイスの頂部は露出され、無菌カバーはシリンジ取付デバイスの連結部を囲む。
【００４７】
無菌カバーは、シリンジ取付デバイスのベースの外周に溶接されてよい。任意選択で、無菌カバーは、シリンジ取付デバイスのベースの外周に接着剤で結合されてよい。
【００４８】
無菌カバーは、ハンドヘルドデバイスが組み立てられた配置において少なくとも部分的に位置するキャビティを有してよい。
【００４９】
好ましい実施形態では、無菌カバーは、組み立てられた配置においてハンドヘルドデバイスを囲む。
【００５０】
無菌カバーは、閉鎖された第１端と、開放した第２端とを有してよく、第２端は、好ましくはハンドヘルドデバイスが無菌カバーに挿入された後にシール可能である。
【００５１】
無菌カバーは、全側で開放したシートでよく、ハンドヘルドデバイスは、組み立てられた配置において、シートによって覆われ、シートは、ハンドヘルドデバイスを内包する無菌カバーの内部と無菌カバーの外部との間にシールが形成されるように閉じることができる。
【００５２】
噴霧堆積システムは、シリンジ取付デバイスの連結部が、ハンドヘルドデバイスに可逆的または不可逆的に連結され、好ましくは、シリンジ取付デバイスの連結部はハンドヘルドデバイスに対してモノリシック（monolithic）であることを特徴としてよい。シリンジ取付デバイスの連結部がハンドヘルドデバイスに対してモノリシックであることの利点は、組み立てられた状態を確立するために連結部とハンドヘルドデバイスとの間に（可逆的または不可逆的な）接続を確立する必要がないので、噴霧堆積の安定性がより高いことである。要するに、組み立てられた状態は恒久的であり、非常に安定している。連結部とハンドヘルドデバイスとの間の可逆的接続の利点は、どちらか一方を、損傷を受けた（例えば、困難な環境での使用中）場合に、容易かつ迅速に廃棄することができることにある。
【００５３】
さらに、好ましい実施形態では、噴霧堆積システムの部分、好ましくはシリンジ取付デバイス及び／又はハンドヘルドデバイスは滅菌可能か、または噴霧堆積システム全体が滅菌可能である。この滅菌可能であることは、好ましくはエチレンオキシドガスに対する耐性で噴霧堆積システムまたはその部分への機能的損傷がないことと理解される。その利点は、噴霧堆積システム全体を、機能の損失なく（繰り返し）滅菌してもよいことにある。
【００５４】
任意選択で、噴霧堆積システムは、いかなる電気および電子部品も含まない。この場合、噴霧堆積システムは、機械的な力（手動力）のみによって作動され得る。
【００５５】
好ましい実施形態では、噴霧堆積システムまたはその部分（例えば、シリンジ取付デバイスおよびその部分、及び／又は、ハンドヘルドデバイスおよびその部分）は、とりわけ、それらがエチレンオキシドガス滅菌によって滅菌されているため、無菌である。
【００５６】
さらに、生物を治療する用途の本発明の噴霧堆積システムが提案され、シリンジチャネルは、生物を治療するのに適した活性物質を備える溶液を内包するシリンジを含むことを特徴とする。
【００５７】
前記用途は、生物の皮膚の創傷領域を治療するためであってよく、溶液が生物の皮膚の創傷領域を治療するのに適した活性物質を備えることを特徴としてよい。
【００５８】
活性物質は、生物細胞を備える、または、生物細胞のみからなってよい。
【００５９】
以下の図を参照して、本発明に係る主題が、ここに示される特定の実施形態に当該主題を限定することを望むことなく、より詳細に説明される。
【００６０】
図面の説明：各端に１つの矢印を有する線に近い数字は参照符号ではなく、実際には２つの矢印の間の長さをミリメートル（ｍｍ）で示す。同じことが、文字「Ｒ」に続く数字にも当てはまり、この場合、ミリメートル単位の長さは、円の半径の長さをミリメートル（ｍｍ）で言及する。曲線に近い数字及び／又は度記号（°）が続く数字は、長さを示すものではなく、実際には角度を示す。他の全ての数字は、参照符号である。参照符号のリストは、以下に示される。
【図面の簡単な説明】
【００６１】
【図１】図１は、本発明に係る噴霧堆積システムのシリンジ取付デバイスの側面図を示す。
【図２】図２は、本発明に係る噴霧堆積システムのシリンジ取付デバイスの上面図を示す。
【図３】図３は、本発明に係る噴霧堆積システムのシリンジ取付デバイスの正面図を示す。
【図４】図４は、本発明に係る噴霧堆積システムのシリンジ取付デバイスの背面図を示す。
【図５】図５は、本発明に係る噴霧堆積システムのハンドヘルドデバイスの側面図を示す。
【図６】図６は、本発明に係る噴霧堆積システムのハンドヘルドデバイスの上面図を示す。
【図７】図７は、本発明による噴霧堆積システムのハンドヘルドデバイスの正面図を示す。
【図８】図８は、本発明に係る噴霧堆積システムのハンドヘルドデバイスの背面図を示す。
【図９】図９は、本発明に係る噴霧堆積システムの組み立てられた配置を示す図である。
【図１０】図１０は、本発明に係る噴霧堆積システムのアダプタの正面図および側面図を示す。
【図１１】図１１は、本発明に係る噴霧堆積システムの組見立てられた配置を示す図である。
【発明を実施するための形態】
【００６２】
図１は、本発明に係る噴霧堆積システムのシリンジ取付デバイス１の側面図を示す。シリンジ取付部１は、連結部２および頂部３があるベースを有し、そして、シリンジチャネル４を備える。
【００６３】
図２は、本発明に係る噴霧堆積システムのシリンジ取付デバイス１の上面図を示す。連結部２、並びに、頂部３およびシリンジチャネル４があるベースを見ることができる。
【００６４】
図３は、本発明に係る噴霧堆積システムのシリンジ取付デバイス１の正面図を示す。連結部２、頂部３およびシリンジチャネル４があるベースを見ることができる。さらに、連結部２の底面１７が図示されている。
【００６５】
図４は、本発明に係る噴霧堆積システムのシリンジ取付デバイス１の背面図を示す。連結部２、頂部３およびシリンジチャネル４があるベースだけでなく、連結部２の底面１７も見ることができる。
【００６６】
図５は、本発明に係る噴霧堆積システムのハンドヘルドデバイス７の側面図を示す。ハンドヘルドデバイス７は、上面８がある頂部１８を有し、さらに、可動スライド９と、プランジャドライバ２１と、シリンジ取付デバイスの連結部と係合するための特徴部２３とを備える。
【００６７】
図６は、本発明に係る噴霧堆積システムのハンドヘルドデバイス７の上面図を示す。可動スライド９を見ることができ、そして、シリンジ取付デバイスの連結部と係合するための特徴部２３がある上面８を見ることができる。さらに、プランジャドライバ２１の上面図を見ることができる。
【００６８】
図７は、本発明に係る噴霧堆積システムのハンドヘルドデバイス７の正面図を示す。ハンドヘルドデバイス７の頂部１８上には、可動スライド９が示され、また、シリンジ取付デバイスの連結部と係合するための特徴部２３がある上面８が示されている。更に、プランジャドライバ２１の正面図が示されている。
【００６９】
図８は、本発明に係る噴霧堆積システムのハンドヘルドデバイス７の背面図を示す。プランジャドライバ２１の背面図が図示されている。
【００７０】
図９は、本発明に係る噴霧堆積システムの組み立てられた配置を示す図である。頂部３およびシリンジチャネル４があるシリンジ取付デバイス１は、その連結部２を介してハンドヘルドデバイス７に連結されている。連結されたハンドヘルドデバイス７およびそのプランジャドライバ２１が図示されている。
【００７１】
図１０は、本発明に係る噴霧堆積システムのアダプタ１０の正面図（左）および側面図（右）を示す。アダプタ１０の第１開口１１、第２開口１２および第３開口１３が示されている。さらに、アダプタ１０の第１流体チャネル１５および第２流体チャネル１６が示されている。
【００７２】
図１１は、本発明に係る噴霧堆積システムの組み立てられた配置を示す。頂部３およびシリンジチャネル４があるシリンジ取付デバイス１は、その連結部を介してハンドヘルドデバイス７に連結されている。連結されたハンドヘルドデバイス７およびそのプランジャドライバ２１が図示されている。プランジャドライバ２１は、シリンジ５のプランジャ２２と係合している。ニードル１４の一端はシリンジ５に接続され、ニードル１４の他端はアダプタ１０の第１開口に接続されている。さらに図示されているのは、周囲の環境（空気）と流体接続しているアダプタ１０の第２開口１２である。アダプタ１０の第３開口は、アダプタ１０の第１流体チャネルに空気流を送達するように構成されたチューブ６に接続されている。チューブ６は、エアフィルタ１９および空気流インジケータ２０に流体的に連結されている。
【符号の説明】
【００７３】
１：  シリンジ取付デバイス
２：  シリンジ取付デバイスの連結部
３：  シリンジ取付デバイスの頂部
４：  シリンジ取付デバイスのシリンジチャネル
５：  シリンジ
６：  空気流を送達するように構成されたチューブ
７：  ハンドヘルドデバイス
８：  ハンドヘルドデバイスの上面
９：  ハンドヘルドデバイスの可動スライド
１０：  シリンジ取付デバイスのアダプタ
１１：  アダプタの第１開口
１２：  アダプタの第２開口
１３：  アダプタの第３開口
１４：  ニードル
１５：  第１流体チャネル
１６：  第２流体チャネル
１７：  シリンジ取付デバイスの連結部の底面
１８：  ハンドヘルドデバイスの頂部
１９：  エアフィルタ（空気流を送達するように構成されたチューブに連結されている）
２０：  空気流インジケータ（空気流を送達するように構成されたチューブに連結されている）
２１：  ハンドヘルドデバイスの可動スライドのプランジャドライバ
２２：  シリンジのプランジャ
２３：  連結部と係合するためのハンドヘルドデバイスの特徴部
【図１】
2021519190.tif 000002
【図２】
2021519190.tif 000003
【図３】
2021519190.tif 000004
【図４】
2021519190.tif 000005
【図５】
2021519190.tif 000006
【図６】
2021519190.tif 000007
【図７】
2021519190.tif 000008
【図８】
2021519190.tif 000009
【図９】
2021519190.tif 000010
【図１０】
2021519190.tif 000011
【図１１】
2021519190.tif 000012
【国際調査報告】
2021519190.tif 000013
2021519190.tif 000014
2021519190.tif 000015